(57)【特許請求の範囲】
【請求項１】
線ファスナーが取り付けられ、線ファスナーにより出入口が開閉できるシートと踏み付け用部材とスライダー操作手段と掛止部材とを備える仕切り形成体であって、
スライダー操作手段の一方の端部は、シートに取り付けられた線ファスナーのスライダーの引手に連結され、
シートには、スライダー操作手段の他方の端部を掛止することができる１個以上の掛止部材が取り付けられ、
踏み付け用部材は、仕切り形成体が空間に配置されたときに、その下部の部位がシートの下端部からはみ出し、かつ該空間の床面あるいは地面に接触あるいは近接して、シートに取り付けられ、スライダー操作手段が引き上げられるときに踏み付けられることを特徴とする仕切り形成体。
【請求項２】
前記線ファスナーのスライダーがリバーシブルスライダーであり、前記掛止部材がシートの表面および裏面のそれぞれに１個以上取り付けられ、前記踏み付け用部材は、仕切り形成体が空間に配置されたときに、前記踏み付け用部材の下部の部位が、前記シートの表面および裏面のそれぞれにおいて、前記シートの下端部からはみ出し、かつ該空間の床面あるいは地面に接触あるいは近接して、前記シートに取り付けられていることを特徴とする請求項１に記載の仕切り形成体。
【請求項３】
前記シートの表面および／または裏面のそれぞれの面に取り付けられる掛止部材が２個以上であり、かつ、該それぞれの面において、該２個以上の掛止部材が互いに距離を置いて取り付けられていることを特徴とする、請求項１または２に記載の仕切り形成体。
【請求項４】
出入口が形成されている屋内設置室であって、該出入口に請求項１乃至３のいずれか一項に記載の仕切り形成体が使用されていることを特徴とする屋内設置室。
【請求項５】
出入口が形成されている屋外設置室であって、該出入口に請求項１乃至３のいずれか一項に記載の仕切り形成体が使用されていることを特徴とする屋外設置室。
【発明の詳細な説明】
【技術分野】
【０００１】
本発明は、線ファスナーにより出入口を開閉できるシートを備える仕切り形成体に関わる。
【背景技術】
【０００２】
従来、布やビニールシートなどで覆われた空間形成用のフレーム（骨組み）構造は、さまざまな分野で使用されている。
例えば、屋内で使用されるものとしては、災害時に体育館などの屋内に設営され、プライベート空間を確保できる避難室として使用される仮設テントや臨時の診療室、フィルターを使用して雰囲気を清浄にしたクリーンルームなどが知られている。
また、屋外で使用されるものとしては、運動会等のイベントでは、雨除けや日除けのために設けられたテントや仮設テントが知られている。建築現場などの資材置き場では、建築資材を雨水等から保護するための建築資材保管用のテントが知られている。
【０００３】
このような、布やビニールシートで覆われた空間形成用のフレーム（骨組み）構造体は、通常、確保された空間に出入りするための出入口が設けられている。例えば、図８に示されるような、フレームを利用した屋内設置室１１０では、出入口が形成された側面シートの中央部の下端から上端近傍にかけて線ファスナー１２０が取り付けられており、線ファスナー１２０のスライダーに係止する引手を手で摘まみ下端から上端方向に移動させて、線ファスナー１２０を開き、側面シートの出入口を開け、また、スライダーに係止する引手を手で摘まみ逆方向の下方向に移動させて、出入口を閉じている（特許文献１参照）。
【０００４】
出入口の線ファスナーが閉じられていると、屋内設置室や屋外設置室に入室する際には、人は腰をかがめたり、膝を曲げたりして、線ファスナーの下端部に位置するスライダーの引手を手で摘まみ、次いで引き上げることにより、出入口を開けなければならない。逆に、出室する際には、開けられた出入口の線ファスナーを閉じるために、ファスナーの上端部に位置するスライダーの引手を手で摘まみ、次いで、大きく腰をかがめたり膝を深く曲げたりして、線ファスナーの下端部にまで引き下げることにより、出入口の線ファスナーを閉じなければならない。
【０００５】
このように、従来のファスナーにより出入口が形成された屋内や屋外の設置室では、線ファスナーの開閉に設置室の使用者や利用者には膝や腰に負担がかかるものであった。
このことは、屋内設置室や屋外設置室などに限らず、線ファスナーにより出入口が形成された布やビニールシートで作られた加工品を設置した建物にいえることである。
【先行技術文献】
【特許文献】
【０００６】
特許文献１：特開２００５−１５５０６２号公報
【発明の概要】
【発明が解決しようとする課題】
【０００７】
本発明は、屋内設置室や屋外設置室などの出入口に使用される、線ファスナーにより出入口が形成されるシートを備える仕切り形成体であって、腰を大きくかがめたり膝を深く曲げたりしないで、身体に負担をかけることなしにシートの出入口を開閉できる仕切り形成体を提供することを目的とする。
【課題を解決するための手段】
【０００８】
上記の課題を解決するために、本発明は以下の手段を採用する。
［１］線ファスナーが取り付けられ、線ファスナーにより出入口が開閉できるシートと踏み付け用部材とスライダー操作手段と掛止部材とを備える仕切り形成体であって、スライダー操作手段の一方の端部は、シートに取り付けられた線ファスナーのスライダーの引手に連結され、シートには、スライダー操作手段の他方の端部を掛止することができる１個以上の掛止部材が取り付けられ、踏み付け用部材は、仕切り形成体が空間に配置されたときに、その下部の部位がシートの下端部からはみ出し、かつ該空間の床面あるいは地面に接触あるいは近接して、シートに取り付けられ、スライダー操作手段が引き上げられるときに踏み付けられることを特徴とする仕切り形成体。
［２］前記線ファスナーのスライダーがリバーシブルスライダーであり、前記掛止部材がシートの表面および裏面のそれぞれに１個以上取り付けられ、前記踏み付け用部材は、仕切り形成体が空間に配置されたときに、前記踏み付け用部材の下部の部位が、前記シートの表面および裏面のそれぞれにおいて、前記シートの下端部からはみ出し、かつ該空間の床面あるいは地面に接触あるいは近接して、前記シートに取り付けられていることを特徴とする［１］に記載の仕切り形成体。
［３］前記シートの表面および／または裏面のそれぞれの面に取り付けられる掛止部材が２個以上であり、かつ、該それぞれの面において、該２個以上の掛止部材が互いに距離を置いて取り付けられていることを特徴とする、［１］または［２］に記載の仕切り形成体。
［４］出入口が形成されている屋内設置室であって、該出入口に［１］乃至［３］のいずれかに記載の仕切り形成体が使用されていることを特徴とする屋内設置室。
［５］出入口が形成されている屋外設置室であって、該出入口に［１］乃至［３］のいずれかに記載の仕切り形成体が使用されていることを特徴とする屋外設置室。
【発明の効果】
【０００９】
本発明の線ファスナーによりシートに出入口が形成される仕切り形成体によれば、シートに踏み付け用部材を取り付けるとともに、線ファスナーのスライダーの引手にスライダー操作手段の一方の端部を連結し、シートにはスライダー操作手段の他方の端部を掛止することができる掛止部材を取り付けたので、仕切り形成体の出入口を形成するシートに取り付けられた線ファスナーの開閉を、腰を大きくかがめたり膝を深く曲げたりしないで、身体に負担をかけることなく容易に行うことができる。
【図面の簡単な説明】
【００１０】
【図１】本発明の仕切り形成体（線ファスナーが閉じられている状態）を示す。
【図２（ａ）】フレームに取り付けられた本発明の仕切り形成体（シートの線ファスナーが閉じられている状態）を示す。
【図２（ｂ）】フレームに取り付けられた本発明の仕切り形成体（シートの下部において線ファスナーが開いている状態）を示す。
【図２（ｃ）】フレームに取り付けられた仕切り形成体（シートの線ファスナーが上端まで開いている状態）を示す。
【図３】スライダーの引手に連結されたスライダー操作手段を示す。
【図４】シートに取り付けられた踏み付け用部材の状態を示す。（ａ）は踏み付け部位が床面または地面に接触している状態、（ｂ）は踏み付け部位の一部が床面または地面に接触している状態、（ｃ）は踏み付け部位が床面または地面に近接している状態をそれぞれ示す。
【図５】リバーシブルスライダーの側面を模式的に示す。
【図６】シートに取り付けられた踏み付け用部材を示す。（ａ）はシートの表面と裏面のそれぞれに取り付けられた踏み付け用部材を示す。（ｂ）はシートの表面あるいは裏面のいずれか一方に取り付けられ、その踏み付け部位がシートの表面と裏面の両方に形成されている踏み付け用部材を示す。
【図７】スライダー操作手段の掛止部材に掛止される側の端部の一実施形態を模式的に示す。
【図８】屋内設置室の斜視図を示す。
【発明を実施するための形態】
【００１１】
本発明の仕切り形成体は、線ファスナー（スライドファスナー）が取り付けられたシートと踏み付け用部材とファスナーのスライダーを操作するスライダー操作手段、スライダー操作手段の端部が掛止される掛止部材を備えるものである。そして、スライダー操作手段でスライダーを移動させることにより線ファスナーを開閉してシートに出入口が形成されるものであって、このような仕切り形成体は、屋内設置室やテントなどの屋外設置室や一般の建物の出入口に使用され、室内と室外を仕切ったりして、空間を仕切るために使用されるものである。
仕切り形成体のシートは、厚みが比較的薄く、素材がプラスチック、布、紙などであり、天然繊維製の生地やビニールシートなどの合成樹脂製の生地、テント生地などを含むものである。
以下、本発明の仕切り形成体を図面に基づいて説明する。
なお、以下において、線ファスナーを単に「ファスナー」という。
【００１２】
図１に本発明の仕切り形成体を示した。
１は仕切り形成体、２はシート、３はファスナー、４はファスナーのスライダー、５はスライダーに係止されている引手、６はスライダー操作手段、７は掛止部材、８は踏み付け用部材である。
仕切り形成体１は、空間に配置されたとき、図１におけるシート１の上部が空間の上部に、図１におけるシート１の下部が空間の下部に位置するように配置され、空間を仕切るものである。
ここで、空間を仕切るとは、仕切り形成体１を境にして、仕切り形成体の前後で空間が仕切られていることを意味している。
【００１３】
図２（ａ）〜（ｃ）に、空間に配置された、仕切り形成体１の一実施形態を示した。この図では、仕切り形成体１のシート２の縁部のうち、下部の縁部を除く上部の縁部および２つの側縁部が冂（けいがまえ）状のフレーム９に留め具１０（ここでは布製の筒）により支持されている。このような仕切り形成体１は、図８に示すような、フレーム（骨組み）構造をシート状の布で覆って形成した、体育館などに設けられ、プライベート空間を確保できる屋内設置室や屋外設置室などの出入口のシートに使用することができる。
なお、仕切り形成体１は、フレーム９に支持されるものに限るものではなく、例えば、他のシート製品や布製品に縫い付けられて支持される場合なども含むものである。
【００１４】
仕切り形成体１は、空間において垂直に配置されるものに限るものではない。例えば、テント（天幕）の出入口に使用されている布体にみられるように、本発明の仕切り形成体１は、空間に斜めの状態で配置されるものを含むものである。
また、本発明の仕切り形成体１は、図１や図２では形状が矩形であるが、この形状に限るものではなく、例えば、フレームを覆うテントに使用されるの三角形状の布であってもよい。
【００１５】
仕切り形成体１のシート２にはファスナー３が取り付けられ、ファスナーの開閉によりシート２に出入口を形成することができる。ファスナー３には、スライダー４が取り付けられ、さらにスライダー４には引手５が係止されており、引手５を引っ張ることことによりスライダー４を動かし、ファスナー３を開閉することができる。このようなファスナーは、一般的なものであり市販されている。
【００１６】
図１では、スライダー４がファスナー３の下端部に位置して、ファスナー３が閉じ、シート２の出入口が閉じられた状態にある。なお、図１において、左図（仕切り形成体１の全体を示す）における小円で囲む部分を拡大した図が大円の右図である。
そして、スライダー４に係止されている引手５を上昇させて、スライダー４をファスナー３の上端部に移動させると、ファスナー３が開き、シート２の出入口が開き、人の出入りが可能となる。逆に、上端部に移動したスライダーの引手５を引き下げ、スライダー４をファスナー３の下端部に移動させると、ファスナー３が閉じ、シート２の出入口が閉じられる。
ここで、下端部や上端部などの位置関係は、仕切り形成体が空間に配置されたときの状態を基準としている（以下同じ）。
【００１７】
スライダー４に係止されている引手５には孔が形成されており、この孔を利用して、スライダー操作手段６の一方の端部を引手５に連結する。
図１や図２（ａ）〜（ｃ）に示す実施形態では、スライダー操作手段６として、図３に示すような、バー（棒）状のものを使用している。以下においてスライダー操作手段６を単に「操作手段６」ということにする。
引手５に形成された孔に操作手段６の一方の端部を通して、引手５と操作手段６の一端を連結する。通常、引手５に形成された孔は数ｍｍ程度の大きさであるので、それ以上に操作手段６の一端が太い場合、操作手段６の一端を直接連結することが難しい。このような場合、一端に細径のリングなどを取り付けた操作手段６を、このリングなどを介して引手５と操作手段６を連結すればよい。リングの代わりにチェーン（鎖）などでもよい。
【００１８】
図３には、1つのリング６１を端部に取り付けた操作手段６と引手５とをリング６１を介して連結した実施形態の一例を示した。ここでは、引手５の孔には細径の線材で製作されたリング６１を通して引手５と操作手段６とが連結されている。
リング６１は、操作手段６の端部に対して回転できるように取り付けることもできる。
図３では、１つのリングが取り付けられた操作手段６を示したが、２つ以上の複数のリング６１、６１・・・を鎖状に連結して取り付けた操作手段６を、リング６１、６１・・・を介して引手５に連結してもよい。
【００１９】
操作手段６の引手５に連結された一方の端部をファスナー３に沿って動かすと、スライダー４が移動し、ファスナー３を開いたり閉じたりすることができる。
空間に配置された仕切り形成体１において、引手５に連結された操作手段６の一方の端部を上に動かすと、スライダー４が上に動いてファスナー３が開き、同手段６の一方の端部を下に動かすと、スライダー４が下に動いてファスナー３が閉じる（図２（ａ）〜（ｃ）参照）。
【００２０】
シート２の表面には１個以上の掛止部材７が取り付けらる。この掛止部材７には操作手段６の他方の端部（操作手段６の引手５に連結されていない方の端部）が掛止できるようになっている。
図１、図２（ａ）〜（ｃ）では、掛止部材７としてリングがシート２に取り付けられているが、操作手段６の他方の端部が掛止することができればよく、リングに限るものではない。
図１ではシート２に１個の掛止部材７が取り付けられているものが示され、図２（ａ）〜（ｃ）ではシート２に２個の掛止部材７、７が互いに距離を置いて取り付けられているものが示されている。
【００２１】
操作手段６の他端（他方の端部）は掛止部材７に掛止できるようになっている。シート２のファスナー３を開閉するとき、操作手段６は、本体部を掴んで他端を掛止部材７から外して、その引手５に連結されている一方の端部を動かしてスライダー４を上下に移動させるものであるから、操作手段６の他端は掛止部材７から容易に外せるようになっている。このようにするには、図１〜３に示すように、操作手段６の他端部を例えばフック状にすればよいが、これらの図に示す形に限るものではない。
【００２２】
上述したように、操作手段６はバー（棒）状のものを使用しているが、人が掴んで引手５を引き上げたり引き下げたりしてスライダー４を動かすことができるものであればよく、バー（棒）状のものに限るものではない。
操作手段６は、全長が４０〜６０ｃｍ程度が扱いやすい。
【００２３】
踏み付け用部材８は、シート２に取り付けられるが、図１〜図２（ａ）〜（ｃ）に示すように、空間を仕切るように配置されたとき、シート２の下部に取り付ければよい。
後述するように、仕切り形成体１の出入口に出入りする人や出入りする人を介助したりする人が足等で床面や地面に踏み付けるものであるから、踏み付け用部材８は、シート２の下端部から、シート２の表面側、すなわち、スライダーの引手５が存在する側にはみ出ることができなければならない。
シート２の下端部からはみ出て踏み付けられる部位の長さや幅は、長さが１０〜１５ｃｍ、幅が１０ｃｍｍ前後のものが好ましい。
なお、ここで、「足等で踏み付ける」とは、裸足のみならず履き物を履いた足で踏み付けることや、杖などで足の代わりとして押さえることを含むものである。また、踏み付け用部材を踏み付けるには、人が立った姿勢でなくともよく、例えば、車椅子に腰掛けた人が車椅子の車輪等で踏み付け用部材８を押さえる場合も「足等」に含む。
【００２４】
踏み付け用部材８は、図１、図２（ａ）〜（ｃ）においてはファスナー３を境にしてシート２の左側の部位に取り付けられているが、左右どちらか一方の部位の下端に少なくとも１つ取り付ければよい。また、左右の部位の両方に１つずつ取り付けてもよい。また、ファスナー３を境にして、左右どちらか一方の部位の下端に複数の踏み付け用部材８を取り付けても、左右の部位の両方に複数の踏み付け用部材８を取り付けてもよい。
踏み付け用部材８は、図１、図２（ａ）〜（ｃ）に示されるように、シート２の下端部のファスナー３の位置から横方向にあまり離れない位置（踏み付け用部材８のファスナー３側の縁が５ｃｍ程度）に取り付けられるのが望ましい。
【００２５】
踏み付け用部材８は、布製でもよいし、プラスチックシート製でもよいし、堅い板状の材料でもよいが、人が踏み付けたときに不安定にならないためには、かさばらないシート状あるいは板状のものが好ましい。
踏み付け用部材８は、シート２の下端部に縫い付けたり、ステープラーや接着剤等で取り付けたりすることができるが、取付け方法はこれに限るものではない。
【００２６】
布などの柔らかい材料で作られた踏み付け用部材８は、シート２の下端部からはみ出す部位の少なくとも一部が、足等で踏み付けることができる程度に、仕切り形成体１の設置場所の床面や地面に接触する必要がある。しかし、シート２の下端部からはみ出す部位の全面が接触する必要はない。
【００２７】
他方、布よりも比較的剛性の高い、例えばプラスチック製のシート状あるいは板状の材料を折り曲げて形成した踏み付け用部材８を使用する場合は、シート２に取り付けられた部位とシート２の下端部からはみ出す部位のうち、後者のシート２の下端部からはみ出す部位が、足等で踏み付けることができる程度に、仕切り形成体１の設置場所の床や地面に、平行あるいは平行に近い状態で接触あるいは近接する必要がある。いずれにしても、踏み付け用部材８のシート２の下端部からはみ出す部位を足等で踏むことができれば、どのような形態でもよい。
【００２８】
図４（ａ）〜（ｃ）に、布よりも比較的剛性の高いプラスチック製シートを折り曲げて製作された踏み付け用部材８がシート２に取り付けられた仕切り形成体１の下部を示した。ここで、８１がシート２に取り付けられた取り付け部位を指し、８２がシート２の下端部からはみ出している踏み付け部位を示している。図４（ａ）では、踏み付け部位８２が仕切り形成体の設置された空間の底面である床面あるいは地面１００に接触している。図４（ｂ）では、取り付け部位８１に近い部位が少し浮いており、取り付け部位８１から遠い部位で接触している。図４（ｃ）では、踏み付け部位が床面あるいは地面１００に接近しているものの、接触はしていない。いずれの場合でも、踏み付け用部材を床面あるいは地面１００に対して容易に踏むことができる。
なお、図４（ａ）〜（ｃ）では、シート２の下端は床面あるいは地面１００に接しているが、シート２の下端と床面あるいは地面１００との間に隙間があってもよい。
【００２９】
図２（ａ）〜（ｃ）に示される仕切り形成体１を例として取り上げ、シート２の出入口を開閉する手順の一例を以下に説明する。ここで仕切り形成体１は床面１００上に設置されているとする。
図２（ａ）〜（ｃ）の仕切り形成体１では、シート２に２個の掛止部材７１、７２としてのリングが上下に互いに距離を置いて離れて、掛止部材７２が掛止部材７１よりも上方に取り付けられている。以下、掛止部材７１を「下掛止部材７１」、掛止部材７２を「上掛止部材７２」と区別して表記する。
【００３０】
図２（ａ）では、ファスナー３のスライダー４がシート２の下端部に位置してファスナー３が閉じられており、シート２の出入口は閉じられている。そして、操作手段６の一端はスライダー４の引手５にリング６１を介して連結され、そして操作手段６の他端は下掛止部材７１に掛止されている。
図２（ｂ）では、操作手段６の操作により引手５を引っ張り、スライダー４が引き上げられて、ファスナー３の下部が開かれている。このとき、操作手段６の他端（引手５に連結されていない方の端部）は下掛止部材７１から外されている。スライダー４の引手５がファスナー３の上端部に引き上げられると、図２（c）のように、ファスナー３が開き、シート２の出入口が開いた状態になり、操作手段６の他端が上掛止部材７２に掛止される。
【００３１】
図２（ａ）の状態から図２（ｃ）までの仕切り形成体１のシート２を開く手順を、以下のステップ１〜５に示す。該シート２を開く作業をする人をここでは利用者ということにする。ステップ１に入る前に、操作手段６の他端は下掛止部材７１に掛止されているものとする。
＜ステップ１＞
利用者は、踏み付け用部材８を足等で踏み付け、押さえる。
（なお、すでに記載したように、踏み付け用部材を押さえるには、利用者が立った姿勢でなくともよく、例えば、車椅子を使用している利用者が車椅子に腰掛けた状態で、足等で踏み付け用部材８を押さえてもよい。）
【００３２】
＜ステップ２＞
利用者は、操作手段６の他端を下掛止部材７１から外す。
（このとき、利用者は、ファスナー３のスライダー４に係止されている引手５を手で摘まむ必要はないから、膝を深く曲げたり、腰を大きくかがめたりすることがない。したがって、下掛止部材７１は、仕切り形成体１が設置された床面に利用者が普通に立ったときの膝から腰の間の範囲に取り付けるのが望ましい。
なお、ステップ１にとステップ２は、逆の順序にしてもよい。すなわち、ステップ２を先に行い、ステップ１を後にしてもよい。）
【００３３】
＜ステップ３＞
利用者は、操作手段６を操作して、引手５を引き上げてスライダー４を上方向に移動させる。
（操作手段６の一端に連結されている引手５とともにスライダー４が上昇し、ファスナー３の下部が開いてシート２の下部が開き始める（図２（ｂ）参照）。このとき、足等は踏み付け用部材８を押さえたままである。こうすることで、シート２の踏み付け用部材８が取り付けられた側（図では左側）の下端部が床面や床面近くに固定されるので、操作手段６に連結した引手５とともにスライダー４を滑らかに上昇させることができ、ファスナー３を容易に開くことができる。
踏み付け用部材８を押さえていないと、シート２の下部が引手５（スライダー４）とともに上昇し、ファスナー３の下部が開かないことが生じる。）
【００３４】
＜ステップ４＞
利用者は、さらにスライダー４の引手５を、ファスナー３の上端に達するまで引き上げる。
（このとき、ファスナー３が上端まで開くので、人が入室できる程度にシート２を開くことができ、シート２に出入口が形成される。
ステップ４の途中で、引手５の移動がある程度進行すると、踏み付け用部材８の踏み付けを止めることも可能である。）
【００３５】
＜ステップ５＞
利用者は、踏み付け用部材８の踏み付けを止め、次いで、操作手段６の他端を下掛止部材７１よりも上方に取り付けられている上掛止部材７２に掛止する（図２（ｃ）参照）。
（ここでの２つの動作は順序が逆になってもよく、先に操作手段６の他端を上掛止部材７２に掛止し、次いで、踏み付け用部材の踏み付けを止めてもよい。なお、ステップ４で踏み付け用部材８の踏み付けを止めている場合は、ステップ５においては操作手段６の上掛止部材７２への掛止のみである。
操作手段６の他端を上掛止部材７２に掛止した後は、シート２は出入口が形成され、開いた状態が継続される。）
【００３６】
次に、ステップ１〜５とは逆に、図２（ｃ）の状態から図２（ａ）に至る、利用者が仕切り形成体１のシート２の出入口を閉じる手順の一例をステップ６〜９に示す。
＜ステップ６＞
利用者は、操作手段６の他端を上掛止部材７２から外す（図２（ｃ）、（ｂ）参照）。
【００３７】
＜ステップ７＞
利用者は、操作手段６を操作することにより、操作手段６に連結されている引手４をファスナー３の上端部から下方向に引っ張り、スライダー４を引き下げる。
（操作手段６の他端に連結されているファスナー３のスライダー４が下降し、ファスナー３の上部あるいは上部近傍から閉じ始める（図２（ｂ）参照））。
【００３８】
＜ステップ８＞
利用者は、さらに引手５（スライダー４）がファスナー３の下端に達するまで引き下げる。
（ファスナー３が下端まで閉じるので、仕切り形成体１のシートの出入口は閉じられ、人が入室できない状態になる。
利用者は、操作手段６を操作して引手５をファスナー３の下端まで引き下げるので、膝を深く曲げたり腰を大きくかがめたりする必要がないから、大きな身体的負担になることはない。）
【００３９】
＜ステップ９＞
利用者は、操作手段６の他端を下掛止部材７１に掛止する（図２（ａ）参照）。
【００４０】
ステップ６〜９には、ステップ１に対応するステップ（利用者が踏み付け用部材８を足等で踏み付け、押さえるステップ）がないが、ステップ６〜９にいずれかの段階で利用者は踏み付け用部材を足等で踏み付けてもよい。
【００４１】
上述した実施形態では、引手５は、シート２の表面側あるいは裏面側の一方の面側のみを移動するが、リバーシブルスライダーと呼ばれる、一枚の引手がスライダーの回転レールに沿って移動でき、ファスナー３の表面と裏面のいずれの面側からもファスナー３を開閉できるものが知られており、市販されている。このリバーシブルスライダーをシート２のファスナー３に使用することもできる。
【００４２】
図５にリバーシブルスライダーを模式的に示した。リバーシブルスライダーは市販されており、容易に入手できるものである。
図５において、一枚の引手５はスライダーの回転レールを伝って上側から下側に移動できるようになっており、下側に移動した引手５を破線で示している。
シート２に取り付けられたファスナー３のスライダーとしてリバーシブルスライダーを使用すると、シート２の表側においても、シート２の裏側においても、リバーシブルスライダーに係止された共通の一枚の引手５を移動させることにより、ファスナー３をシート２の表面と裏面のいずれの面側からも開閉することができる。
【００４３】
以下において、リバーシブルスライダーをリバーシブルスライダー４′あるいはスライダー４′と表記することにする。
図５において、仮に上側の引手５がシート２の表側に位置しているとすると、下側の破線で示された引手５は、シート２の裏側に位置することになる。逆に、上側の引手５がシート２の裏側に位置しているとすると、下側の引手５は、シート２の表側に位置することになる。
【００４４】
シート２に取り付けたファスナー３にリバーシブルスライダー４′を使用すると、仕切り形成体１を空間に配置した場合、踏み付け用部材８として、図６（ａ）、（ｂ）に示されるものを使用すると、仕切り形成体１の表面側及び裏面側のいずれの側からも、ファスナー３のスライダー４′を上下に移動させてファスナー３を開閉することができる。
【００４５】
図６（ａ）には、踏み付け用部材８がシート２の表面と裏面にいずれにも取り付けられ、踏み付け部位もシート２の表面と裏面においてシート２の下端部からはみ出している。
他方、図６（ｂ）には、踏み付け用部材８がシート２の表面と裏面のいずれかに取り付けられているが、踏み付け部位はシート２の表面と裏面においてシート２の下端部からはみ出している。
図６（ａ）に示すものでは、２つの踏み付け用部材がシート２に取り付けられているのに対して、図６（ｂ）に示されるものでは、１つの踏み付け用部材がシート２に取り付けられているが、踏み付け用部材８としていずれを使用してもかまわない。
図６（ａ）、（ｂ）に示される踏み付け用部材８では、踏み付け部位８２が床面あるいは地面１００に接しているが、図４（ｂ）、（ｃ）のように、床面あるいは地面１００に接していない部位を有していてもよい。
【００４６】
以下においては、シート２に取り付けられたファスナー３のスライダーがリバーシブルスライダー４′である場合において、上述のステップ１〜５にしたがってシート２の表側でファスナー３を開き、ステップ５で操作手段６の他端を上掛止部材７２に掛止した後に、利用者がシート２の裏側に移動して、シート２の出入口を閉じる場合の手順の一例としてとして、ステップ６′〜９′を以下に説明する。
【００４７】
リバーシブルスライダー４′を使用する場合は、シートの表面と裏面のいずれの側にも１つ以上の掛止部材７を取り付けるとともに、踏み付け用部材８を、その踏み付け部位が、シート２の表面および裏面のそれぞれにおいて、シート２の下端部からはみ出し、かつ該空間の床面あるいは地面に接触あるいは近接して、シート２に取り付ける（図６（ａ）、（ｂ）参照）。
以下に示す実施形態では、図２（ａ）〜（ｃ）に示した実施形態と同様に、シート２の表面と裏面のいずれにもそれぞれ２個の掛止部材（下掛止部材７１、上掛止部材７２）を取り付けるものとする。シート２の表面に取り付けられた掛止部材７、７１、７２をそれぞれ７ｏ、７１ｏ、７２ｏと、またシート２の裏面に取り付けられた掛止部材をそれぞれ７ｕ、７１ｕ、７２ｕと表記することにする。
そして、操作手段６は、共通の一本のみであり、操作手段６の一端はリバーシブルスライダー４′に連結されている。
【００４８】
＜ステップ６′＞
利用者は、操作手段６の他端を上掛止部材７２ｏから外す（図２（ｃ）参照）。
（ステップ６′では、利用者はシート２の裏面側の位置から手を伸ばして、操作手段６の他端を上掛止部材７２ｏから外すか、あるいは、一旦、シート２の表側に移動して、操作手段６の他端を上掛止部材７２ｏから外し、裏面側に移動してもよい。
なお、ステップ４の終了後にステップ５での操作手段６の他端を上掛止部材７２ｏに掛止するステップを省いて、利用者がファスナー３の裏側に移動する場合は、ステップ６′を省略して、次のステップ７′に移行すればよい。）
【００４９】
＜ステップ７′＞
利用者は、操作手段６を操作することにより、操作手段６に連結されている引手４をファスナー３の上端部から下方向に引っ張り、スライダー４′を引き下げる。
（操作手段６の他端に連結されているファスナー３のスライダー４′が下降し、ファスナー３の上部から閉じ始める（図２（ｂ）参照））。
【００５０】
＜ステップ８′＞
利用者は、さらに引手５（スライダー４′）がファスナー３の下端に達するまで引き下げる。
（ファスナー３が下端まで閉じるので、仕切り形成体１のシート２の出入口は閉じ、人が入室できない状態になる。
利用者は、操作手段６を介して引手５をファスナー３の下端まで引き下げるので、膝を深く曲げたり腰を大きくかがめたりする必要がないから、大きな身体的負担になることはない。）
【００５１】
＜ステップ９′＞
利用者は、操作手段６の他端を下掛止部材７１ｕに掛止する（図２（ａ）参照）。
【００５２】
ステップ６′〜９′には、ステップ１に対応するステップ（利用者が踏み付け用部材を足等で踏み付け、押さえるステップ）がないが、ステップ６′〜９′にいずれかの段階で利用者は踏み付け用部材を足等で踏み付けてもよい。
【００５３】
例えば、図７に示されるような、体育館などに設けられた屋内設置室の出入口のシート２にリバーシブルスライダー４′を取り付けたファスナー３を使用すると、以下のような利点がある。
すなわち、例えば、シート２の裏側が屋内設置室の室内、シート２の表側が屋内設置室の室外とすると、ステップ９′が完了すると、ファスナー３は閉じられ、かつ操作手段６は、室内の下掛止部材７１ｕに掛止されるとともに、スライダー４′および引手５も室内側に位置しているので、室外から部外者がファスナー３を開閉することや操作手段６を操作することは容易には行うことができないから、シート２の出入口は閉じられたままであり、屋内設置室の外から室内を覗かれることがなく、プライベート空間が確保できる。
【００５４】
さらに、操作手段６の他端（掛止部材７に掛止される側の端部）のフック部を、カラビナ機構付きのものにすると、より安心なプライベート空間が確保できる。例えば、図７に示した操作手段６では、フック部に開口を閉じるように動くバネ式の可動桿を取り付けている。
このようなカラビナ機構付きのフック部を有する操作手段６を室内側で下掛止部材７１ｕに掛止すると、室外のファスナーの下端から室内に手を伸ばして操作手段６を掛止部材７１ｕから外すことがいっそう困難になるから、室内にいる人は室外から人が覗いたり侵入したりすることを心配しなくてすむ。
【００５５】
なお、上述の手順のステップ１〜９やステップ６′〜９′は、あくまで手順の一例を示したものであり、これらのステップを必ず踏襲する必要はなく、状況に合わせて、適宜、工夫すればよい。
【００５６】
シート２に取り付ける掛止部材７の数について、図２（ａ）〜（ｃ）では、掛止部材７がシート２に２個（７１、７２）取り付けられている実施形態を示したが、図１に示すように、シート２に取り付ける掛止部材７は１個でもよい。
掛止部材７が１個の場合、引手５がシート２の下端に引き下げられて、ファスナー３が閉じたとき、操作手段６の他端は１個の掛止部材７に掛止されるが、引手５がファスナー３の上端に引き上げられて、ファスナー３が開いたときも、同じ１個の掛止部材７が操作手段６が掛止できる位置にあるならば掛止すればよい。１個の掛止部材７が掛止できる位置にはない場合は、ファスナーの上端に引き上げられた操作手段６をその位置でそのままファスナー３の上端に位置するスライダー４やスライダー４′の引手５に吊り下げておくこともできる。操作手段６は軽量な材料で製作できるから、吊り下げた操作手段６が降下しないようにすることは可能である。
【００５７】
したがって、掛止部材７が１個の場合でも、おおむね上述のステップ１〜９やステップ６′〜９′を行うことができ、利用者が操作手段６を操作するときに大きく腰を曲げたり、深く膝を曲げたりしないで、身体に負担を掛けることがないようにファスナー３の開閉を行うことができる。
【００５８】
シート２に取り付ける掛止部材７が複数個である場合、２個に限らず３個以上でもよい。例えば、距離を置いて４個取り付けると、上述の掛止部材７１、７２の相当する掛止部材を、身長の小さい子供にも身長の高い大人にも掛止しやすい位置に、それぞれ２個ずつ取り付けることができる。
この場合においても、シート２の下端に位置する引手５を引き上げる際に、利用者が操作する操作手段６が掛止される掛止部材は、大きく腰をかがめたり、深く膝を曲げたりして、身体に負担をかけることのない位置に取り付けることが望ましい。
また、図２（ａ）〜（ｃ）では、ファスナーを境にしてシートの右側の部位に、掛止部材７１、７２を取り付けているが、掛止部材７１、７２をシート２に取り付ける場合、シートの左側と右側に振り分けてもよい。３個以上の掛止部材を取り付ける場合も同様にすることができる。
【００５９】
図１や図２（ａ）〜（ｃ）に示した実施形態では、では、シート２に取り付けられたファスナー３が直線状のものであるが、これに限るものではなく、曲線状のものであってもよい。例えば、ファスナー３がシート２の上部でΓ状に曲がる場合は、掛止部材７の取り付け位置を適宜調整すればよい。
【産業上の利用可能性】
【００６０】
本発明の仕切り形成体は、スライダー操作手段を備え、シートに踏み付け用部材を取り付けているので、ファスナーのスライダー操作手段により、引手を引っ張り、スライダーを移動させて、身体に大きな負担をかけることなく、ファスナーを開閉して、シートに出入口を形成でき、仮設の室内外設置室などの出入口に適用できるものである。
【符号の説明】
【００６１】
１：仕切り形成体
２：シート
３：線ファスナー
４：線ファスナーのスライダー
４′：線ファスナーのリバーシブルスライダー
５：スライダーの引手
６：スライダー操作手段
７：掛止部材
８：踏み付け用部材
９：フレーム
１０：留め具
・・・
６１：リング
６２：可動桿
・・・
７１：（下）掛止部材
７２：（上）掛止部材
・・・
８１：踏み付け用部材のシートへの取り付け部位
８２：踏み付け用部材の踏み付け部位
・・・
１００：床面、地面
・・・
１１０：屋内設置室
１２０：線ファスナー
【要約】
【課題】身体に負担を掛けないでシートの出入口を容易に開閉できる、線ファスナーにより出入口が形成される仕切り形成体を提供する。
【解決手段】仕切り形成体は、線ファスナーにより出入口が開閉できるシートと踏み付け用部材とファスナー操作手段と掛止部材とを備え、ファスナー操作手段の一方の端部は、シートに取り付けられた線ファスナーのスライダーの引手に連結され、シートには、ファスナー操作手段の他方の端部を掛止することができる１個以上の掛止部材が取り付けられ、踏み付け用部材は、仕切り形成体が空間に配置されたときに、踏み付け用部材の下部の部位が仕切り形成体のシートの下端部からはみ出し、かつ該空間の床面あるいは地面に接触あるいは近接するように、シートに取り付けられている。線ファスナーのスライダーにリバーシブルスライダーを使用することもできる。
【選択図】図１【図１】
0006864328.tif 000002
【図２（ａ）】
0006864328.tif 000003
【図２（ｂ）】
0006864328.tif 000004
【図２（ｃ）】
0006864328.tif 000005
【図３】
0006864328.tif 000006
【図４】
0006864328.tif 000007
【図５】
0006864328.tif 000008
【図６】
0006864328.tif 000009
【図７】
0006864328.tif 000010
【図８】
0006864328.tif 000011